(57)【要約】【課題】筐体をチルト可能な入力装置や情報処理装置において筐体の薄型化を図る。【解決手段】キーボード１０２は、筐体１０４の背面（第二面１１０）に壁部材１１６を有する。壁部材１１６は、一対の平行な第一ヒンジ１２２Ａ、１２２Ｂにより背面と重なる重なり姿勢と背面から突出する突出姿勢とを採る一対の第一壁板１１８Ａ、１１８Ｂを備える。さらに壁部材１１６は、第一ヒンジ１２２Ａ、１２２Ｂと平行な一対の第二ヒンジ１２４Ａ、１２４Ｂにより、第一壁板１１８Ａ、１１８Ｂのそれぞれと連結され、第二ヒンジ１２４Ａ、１２４Ｂの間隔が第一ヒンジ１２２Ａ、１２２Ｂの間隔に等しい第二壁板１２０を備える。第一壁板１１８Ａ、１１８Ｂの突出姿勢では、背面の一部と第二壁板１２０とが対向し第一壁板１１８Ａ、１１８Ｂどうしが対向することで、第一ヒンジ１２２Ａ、１２２Ｂと直交する断面が平行四辺形の筒体を成す。【選択図】図４
2019045973.tif 000002
【特許請求の範囲】
【請求項１】
入力操作を受ける入力部を備える筐体と、
前記筐体における前記入力部の背面に設けられ一対の平行な第一ヒンジにより前記背面と重なる重なり姿勢と前記背面から突出する突出姿勢とを採る一対の第一壁板と、前記第一ヒンジと平行な一対の第二ヒンジにより前記第一壁板のそれぞれと連結され、前記第二ヒンジの間隔が前記第一ヒンジの間隔に等しい第二壁板と、を備える壁部材と、
を有し、
前記第一壁板の突出姿勢では、前記背面の一部と前記第二壁板とが対向し前記第一壁板どうしが対向することで、前記第一ヒンジと直交する断面が平行四辺形の筒体を成す
入力装置。
【請求項２】
一対の前記第一壁板、前記第二壁板及び前記背面、のうちの２つ以上の部材に架け渡される架渡部材を有する請求項１に記載の入力装置。
【請求項３】
前記壁部材に設けられ前記壁部材の一部を前記筒体の内側へ折り込み可能な折曲部とする切込部と、
前記折曲部と前記壁部材において前記折曲部以外の部分の境界に設けられ前記折曲部を前記筒体の内側へ折り込んで前記架渡部材とする第三ヒンジと、
を有する請求項２に記載の入力装置。
【請求項４】
前記切込部が、前記第一ヒンジと交差する方向で前記第一壁板の一つから前記第二壁板に連続して一対設けられ、
前記折曲部が一対の前記切込部の間に位置している請求項３に記載の入力装置。
【請求項５】
前記折曲部が、
前記架渡部材となる部分から連続し、前記背面から離間する方向に位置する第一重合板と、
前記第一重合板の先端側で折り返されて前記第一重合板と重合し前記背面に連続する第二重合板と、
を有する請求項４に記載の入力装置。
【請求項６】
入力操作を受ける入力部を備える筐体と、
前記筐体における前記入力部の背面に設けられ一対の平行な第一ヒンジにより前記背面と重なる重なり姿勢と前記背面から突出する突出姿勢とを採る一対の第一壁板と、前記第一ヒンジと平行な一対の第二ヒンジにより前記第一壁板のそれぞれと連結され、前記第二ヒンジの間隔が前記第一ヒンジの間隔に等しい第二壁板と、を備える壁部材と、
前記筐体に接続され、前記筐体から受けた情報を表示する表示部材と、
を有し、
前記第一壁板の突出姿勢では、前記背面の一部と前記第二壁板とが対向し前記第一壁板どうしが対向することで、前記第一ヒンジと直交する断面が平行四辺形の筒体を成す
情報処理装置。
【発明の詳細な説明】
【技術分野】
【０００１】
本願の開示する技術は入力装置及び情報処理装置に関する。
【背景技術】
【０００２】
キーボード本体のチルト脚収納部内に、キーボードの操作角度を変更するためのチルト脚を、基部の回動中心を支点として回動可能にかつ折りたたみ可能に設けたチルト脚付キーボードの構造がある。
【先行技術文献】
【特許文献】
【０００３】
【特許文献１】実開昭６２−１３８２３３号公報
【発明の概要】
【発明が解決しようとする課題】
【０００４】
キーボード等を筐体に備えた入力装置や情報処理装置において、筐体をチルト（傾斜）可能にするために、筐体に脚部を設けた構造では、入力操作の荷重を支持するための強度が脚部に求められる。このような強度を得るために、脚部に厚みを持たせた構造では、脚部を筐体に収納した場合に、筐体に、脚部の厚み以上の厚みが必要となる。
【０００５】
本願の開示技術は、１つの側面として、筐体をチルト可能な入力装置や情報処理装置において筐体の薄型化を図ることが目的である。
【課題を解決するための手段】
【０００６】
本願の開示する技術では、筐体の背面に壁部材を有する。壁部材は、一対の平行な第一ヒンジにより背面と重なる重なり姿勢と背面から突出する突出姿勢とを採る一対の第一壁板を備える。さらに壁部材は、第一ヒンジと平行な一対の第二ヒンジにより第一壁板のそれぞれと連結され、第二ヒンジの間隔が第一ヒンジの間隔に等しい第二壁板を備える。第一壁板の突出姿勢では、背面の一部と第二壁板とが対向し第一壁板どうしが対向することで、第一ヒンジと直交する断面が平行四辺形の筒体を成す。
【発明の効果】
【０００７】
本願の開示する技術では、筐体をチルト可能な入力装置や情報処理装置において筐体の薄型化を図ることができる。
【図面の簡単な説明】
【０００８】
【図１】図１は第一実施形態の入力装置と電子機器とを示す斜視図である。
【図２】図２は第一実施形態の入力装置と電子機器とを入力装置を破断して示す側面図である。
【図３】図３は第一実施形態の入力装置と電子機器とを重ねた状態で上下反転して示す斜視図である。
【図４】図４は第一実施形態の入力装置を破断し部分的に拡大して示す斜視図である。
【図５】図５は第一実施形態の入力装置を示す図４の５−５線断面図である。
【図６】図６は第一実施形態の入力装置を破断し部分的に拡大して示す斜視図である。
【図７】図７は第一実施形態の入力装置を示す図６の７−７線断面図である。
【図８】図８は第一実施形態の入力装置を破断し部分的に拡大して示す斜視図である。
【図９】図９は第一実施形態の入力装置を示す図８の９−９線断面図である。
【図１０】図１０は第二実施形態の入力装置を部分的に拡大して示す斜視図である。
【図１１】図１１は第二実施形態の入力装置を部分的に拡大して示す斜視図である。
【図１２】図１２は第二実施形態の入力装置を部分的に拡大して示す斜視図である。
【図１３】図１３は第三実施形態の入力装置を部分的に拡大して示す斜視図である。
【図１４】図１４は第三実施形態の入力装置を部分的に拡大して示す斜視図である。
【図１５】図１５は第三実施形態の入力装置を部分的に拡大して示す斜視図である。
【図１６】図１６は第四実施形態の入力装置を部分的に拡大して示す斜視図である。
【図１７】図１７は第四実施形態の入力装置を部分的に拡大して示す斜視図である。
【図１８】図１８は第四実施形態の入力装置を部分的に拡大して示す斜視図である。
【図１９】図１９は第五実施形態の入力装置を部分的に拡大して示す斜視図である。
【図２０】図２０は参考例の入力装置を部分的に拡大して示す斜視図である。
【図２１】図２１は参考例の入力装置を部分的に拡大して示す斜視図である。
【図２２】図２２は参考例の入力装置を部分的に拡大して示す斜視図である。
【発明を実施するための形態】
【０００９】
第一実施形態の入力装置の一例であるキーボード１０２について、図面に基づいて詳細に説明する。
【００１０】
図１に示すように、キーボード１０２は、筐体１０４を有している。筐体１０４は、偏平な板状の部材であり、デスクやテーブル等の設置面８０（図２参照）の上に設置することが可能である。筐体１０４をこのように設置した状態における幅方向、奥行方向及び厚み方向を、それぞれ矢印Ｗ、矢印Ｄ及び矢印Ｔで示す。また、単に「手前側」及び「奥側」というときは、筐体１０４における奥行方向の手前側及び奥前側をそれぞれ意味するものとし、矢印ＤＡ、矢印ＤＢで示す。
【００１１】
筐体１０４の奥側に位置する奥辺１０４Ｂには、接続板１０６が設けられている。接続板１０６を介して、キーボード１０２は電子機器８２と電気的に接続される。電子機器８２としては、たとえば、タブレット型のコンピュータやスマートフォン等を挙げることができる。図１に示す電子機器８２では、ディスプレイ８４と、このディスプレイ８４の反対面側の支持脚８６とを備えた機器筐体８８を有する。支持脚８６を機器筐体８８から突出させることで、図２に示すように、機器筐体８８を設置面８０上で斜めに立てた姿勢に維持できる。また、キーボード１０２は、図３に示すように、電子機器８２と重ねた状態とすることも可能である。
【００１２】
筐体１０４の厚み方向における一方の面である第一面１０８には、入力キー１１２及びタッチパッド１１４が設けられている。入力キー１１２及びタッチパッド１１４はいずれも、入力操作を受ける入力部の一例である。
【００１３】
筐体１０４の第二面１１０、すなわち、入力キー１１２及びタッチパッド１１４が設けられた面の反対面（背面）には、壁部材１１６が設けられている。壁部材１１６は、筐体１０４の奥行方向の中心線ＣＬ−１よりも奥側（矢印ＤＢ側）に設けられている。
【００１４】
図４〜図９に示すように、壁部材１１６は、一対（２枚）の第一壁板１１８Ａ、１１８Ｂと、１枚の第二壁板１２０とを有している。なお、図４に示す例では、第一壁板１１８Ａ及び第二壁板１２０が、後述する折曲部１３０によって、幅方向で２つに分割されているが、第一壁板１１８Ａ及び第二壁板１２０としては、このように分割されていない形状でもよい。
【００１５】
筐体１０４の第二面１１０には、この第二面１１０と一体のベース板１４８が設けられている。ベース板１４８は、後述する収納凹部１４６において、第二面１１０と平行に取り付けられている。実質的に、ベース板１４８は筐体１０４の第二面１１０（背面）の一部である。
【００１６】
手前側の第一壁板１１８Ａは、第一ヒンジ１２２Ａにより、ベース板１４８の手前側端部に回転可能に取り付けられており、奥側の第一壁板１１８Ｂは、第一ヒンジ１２２Ｂにより、ベース板１４８の奥側端部に回転可能に取り付けられている。第一ヒンジ１２２Ａ及び第二ヒンジ１２４Ｂはいずれも筐体１０４の奥辺１０４Ｂと平行である。したがって、第一ヒンジ１２２Ａと第二ヒンジ１２４Ｂも互いに平行である。
【００１７】
第一壁板１１８Ａ、１１８Ｂは、それぞれ第一ヒンジ１２２Ａ、１２２Ｂを中心として回転することで、筐体１０４の第二面１１０と平行な重なり姿勢ＫＰ（図４参照）と、筐体１０４から突出した突出姿勢ＴＰ（図８参照）とを採る。
【００１８】
第二壁板１２０は、第二ヒンジ１２４Ａにより、第一壁板１１８Ａに回転可能に取り付けられており、第二ヒンジ１２４Ｂにより、第一壁板１１８Ｂに回転可能に取り付けられている。第二ヒンジ１２４Ａ及び第二ヒンジ１２４Ｂはいすれも奥辺１０４Ｂと平行である。したがって、第一ヒンジ１２２Ａ、第一ヒンジ１２２Ｂ、第二ヒンジ１２４Ａ、第二ヒンジ１２４Ｂは互いに平行である。
【００１９】
図８及び図９に示すように、壁部材１１６は、第一壁板１１８Ａ、１１８Ｂが突出姿勢ＴＰにある状態では、第一ヒンジ１２２Ａに沿った方向で見ると、第一ヒンジ１２２Ａと直交する断面が平行四辺形の筒体１２６を成す。すなわち、第一ヒンジ１２２Ａ、１２２Ｂの間隔と、第二ヒンジ１２４Ａ、１２４Ｂの間隔は等しい。また、第一ヒンジ１２２Ａの奥行と、第一ヒンジ１２２Ｂの奥行も等しい（この奥行をＤ１とする）。換言すれば、筒体１２６の断面が平行四辺形となるように、第一壁板１１８Ａ、１１８Ｂ、第二壁板１２０及びベース板１４８の形状が設定されている。
【００２０】
本実施形態では、第一壁板１１８Ａ、１１８Ｂの奥行Ｄ１と第二壁板１２０及びベース板１４８の奥行Ｄ２とは等しい。したがって、筒体１２６の断面形状は菱形である。特に第一ヒンジ１２２Ａ、１２２Ｂが直角の状態では、筒体１２６の断面形状は正方形であり、壁部材１１６は筐体１０４の第二面１１０から突出した突出状態ＴＳとなる。これに対し、第一壁板１１８Ａ、１１８Ｂが重なり姿勢ＫＰにある状態では、図４及び図５に示すように、第二壁板１２０が第一壁板１１８Ｂに重なる。そして、壁部材１１６が全体として、板状に折畳まれた折畳状態ＰＳとなる。なお、第一壁板１１８Ａ、１１８Ｂの奥行Ｄ１は、壁部材１１６が突出状態ＴＳにあるときは、収納凹部１４６からの壁部材１１６の高さでもある。
【００２１】
壁部材１１６には、切込部１２８が設けられている。第一実施形態では、図４、図６及び図８に示すように、切込部１２８は、筐体１０４の幅方向の中心線ＣＬ−２を中心として対称の位置で一対（２つ）設けられている。
【００２２】
切込部１２８はいずれも、奥側の第二ヒンジ１２４Ｂの位置から手前側の第二ヒンジ１２４Ａの位置を経て、手前側の第一ヒンジ１２２Ａの位置まで、第一壁板１１８Ａを切り込んで設けられている。壁部材１１６において、一対の切込部１２８の間の部分は折曲部１３０である。
【００２３】
図４及び図６に示すように、壁部材１１６には、第三ヒンジ１３２Ａ、１３２Ｂ、１３２Ｃが設けられている。具体的には、第二ヒンジ１２４Ｂの位置において、壁部材１１６（奥側の第一壁板１１８Ｂ）と折曲部１３０との境界が第三ヒンジ１３２Ａである。また、折曲部１３０において、手前側の第一ヒンジ１２２Ａと第三ヒンジ１３２Ａの間には、第三ヒンジ１３２Ｂ、１３２Ｃが設けられている。
【００２４】
図９に示すように、第三ヒンジ１３２Ｂの位置は、第三ヒンジ１３２Ａから第三ヒンジ１３２Ｂまでの距離Ｄ３が、第一壁板１１８Ａ、１１８Ｂの奥行Ｄ１の√２倍になるか、僅かに短くなる位置に設定されている。第三ヒンジ１３２Ｃの位置は、第三ヒンジ１３２Ｂと第一ヒンジ１２２Ｂの中央になる位置に設定されている。折曲部１３０は、図８及び図９に示すように、筒体１２６の内側へ折り込むことが可能である。そして、第三ヒンジ１３２Ａから第三ヒンジ１３２Ｂまでの部分が、筒体１２６において、第一ヒンジ１２２Ｂと第二ヒンジ１２４Ａとに架け渡される架渡部材１３４である。したがって、架渡部材１３４は、第二面１１０に対し斜めの姿勢で、第一壁板１１８Ａと第一壁板１１８Ｂとに架け渡される部材でもある。
【００２５】
この状態で、折曲部１３０において、第三ヒンジ１３２Ｂから第三ヒンジ１３２Ｃまでの部分が、第二面１１０から離間する方向に位置する第一重合板１３６である。また、この状態で、第三ヒンジ１３２Ｃから第一ヒンジ１２２Ｂまでの部分が、第一重合板１３６から折り返されて第一重合板１３６と重合し、第二面１１０に連続する第二重合板１３８である。
【００２６】
図９に示すように、第一重合板１３６及び第二重合板１３８には、磁石部材１４０が埋め込まれている。第一重合板１３６と第二重合板１３８とは、磁石部材１４０の磁力によって、互いに引き付けられるようになっている。磁石部材１４０としては、たとえば、第一重合板１３６に埋め込まれた磁石１４２と、第二重合板１３８に埋め込まれて、磁石１４２の磁力で吸着ざれる吸着材１４４を例示することができる。なお、これとは逆に、磁石１４２が第二重合板１３８に埋め込まれ、吸着材１４４が第一重合板１３６に埋め込まれる構造でもよい。
【００２７】
図４〜図９に示すように、筐体１０４の第二面１１０には、収納凹部１４６が設けられている。収納凹部１４６は、第一壁板１１８Ａ、１１８Ｂが重なり姿勢ＫＰにあり、壁部材１１６が全体として折畳まれた形状で、壁部材１１６を収納する位置及び大きさである。そして、壁部材１１６が収納凹部１４６に収納された状態では、折畳まれた壁部材１１６の外面１１６Ｓ（第一壁板１１８Ａ及び第二壁板１２０の外面）は、筐体１０４の第二面１１０と面一である。
【００２８】
次に、本実施形態の作用を説明する。
【００２９】
キーボード１０２の壁部材１１６は、図４及び図５に示すように、折畳状態ＰＳにあるとき、第二面１１０の収納凹部１４６に収納される。そして、この状態から、図６及び図７に示すように、第一ヒンジ１２２Ａ、１２２Ｂを中心として、第一壁板１１８Ａ、１１８Ｂをそれぞれ突出姿勢ＴＰに向けて、矢印Ｒ１方向に回転させることができる。回転途中で、図７に示すように、壁部材１１６の断面形状は菱形となる。そして、図８及び図９に示すように、第一ヒンジ１２２Ａ、１２２Ｂの角度が９０度になった状態では、壁部材１１６（筒体１２６）の断面形状が正方形になる。壁部材１１６は筐体１０４の第二面１１０から突出しているので、図２に示すように、第二面１１０を下にして設置面８０上に筐体１０４を設置すると、筐体１０４は、設置面８０に対し傾斜した姿勢（チルト姿勢）で支持される。
【００３０】
このように、壁部材１１６は、ベース板１４８（第二面１１０の一部）とで、全体として、内部が中空の平行四辺形を成している。そして、壁部材１１６は、筐体１０４の収納凹部１４６に収納された状態では、板状に折畳まれる。壁部材１１６はこのように折畳まれることで、たとえば、強度を得るために所定の厚みを有する形状とされた脚部と比較して薄い。これにより、壁部材１１６を折畳み状態とした場合における筐体１０４の厚みＴ１を薄くすることが可能である。
【００３１】
特に、筐体１０４には、収納凹部１４６が設けられている。薄く折畳まれた壁部材１１６を筐体１０４の収納凹部１４６に収納するので、収納凹部１４６の深さも浅くて済む。収納凹部１４６の深さを浅くできるので、筐体１０４の厚みも薄くすることが可能である。
【００３２】
キーボード１０２は、架渡部材１３４を有する。本実施形態の架渡部材１３４は、筒体１２６の断面形状が正方形の状態において、第一ヒンジ１２２Ｂと第二ヒンジ１２４Ａとに架け渡される。キーボード１０２に対し、図２に示すように第一面１０８側から荷重が作用し、第一ヒンジ１２２Ｂと第二ヒンジ１２４Ａとが接近する方向で筒体１２６が押し潰されそうになっても、架渡部材１３４が圧縮方向の突っ張りとして作用する。これにより、筒体１２６は、その断面形状が正方形状である状態を維持できる。そして、筐体１０４を所定の角度で傾斜した姿勢（チルト姿勢）で維持できる。
【００３３】
架渡部材１３４としては、たとえば、一対の第一壁板１１８Ａ、１１８Ｂと、第二壁板１２０と、第二面１１０のいずれかに架け渡されていれば、筒体１２６に対し押し潰す力が作用しても、筒体１２６が実際に押しつぶされることを抑制できる。
【００３４】
したがって、架渡部材１３４が、一対の第一壁板１１８Ａ、１１８Ｂに架け渡される構造でもよい。ただし、架渡部材１３４を第二面１１０と平行に架け渡してしまうと、断面形状が平行四辺形である筒体１２６の潰れを抑制する効果が小さい。これに対し、架渡部材１３４が、第二面１１０に対し斜めに架け渡される構造では、筒体１２６の潰れを効果的に抑制できる。
【００３５】
第一実施形態では、架渡部材１３４が第一ヒンジ１２２Ｂと第二ヒンジ１２４Ａとに架け渡されている。第一ヒンジ１２２Ｂと第二ヒンジ１２４Ａとを結ぶ線分は、平行四辺形の筒体１２６の対角線である。換言すれば、第一ヒンジ１２２Ｂと第二ヒンジ１２４Ａとの間隔は、筒体１２６が押し潰される際の寸法変化が大きい部分であり、このような寸法変化の大きい部分で架渡部材１３４が筋交いとして作用するので、筒体１２６の潰れを抑制する効果が高い。
【００３６】
第一実施形態では、切込部１２８及び第三ヒンジ１３２Ａ、１３２Ｂ、１３２Ｃを有する構造である。これにより、壁部材１１６の一部を折曲部１３０としている。そして、第三ヒンジにより折曲部１３０を折り曲げることで、折曲部１３０の一部を用いて架渡部材１３４を形成できる。壁部材１１６の一部を有効に用いて架渡部材１３４を有する構造を実現できるので、別部材として架渡部材１３４を設ける必要がなく、部品点数の増加を抑制できる。
【００３７】
切込部１２８は、第一ヒンジ１２２Ａと交差する方向で、第一壁板１１８Ｂから第二壁板１２０に連続して壁部材１１６に一対設けられる。壁部材１１６の幅方向の中央部分において、第一壁板１１８Ｂ及び第二壁板１２０の一部として折曲部１３０が位置する。これにより、壁部材１１６の幅方向の中央部分に架渡部材１３４が位置する構造を実現できる。
【００３８】
折曲部１３０はさらに、第一重合板１３６及び第二重合板１３８を有する。折曲部１３０において、架渡部材１３４以外の部分が、架渡部材１３４から第一重合板１３６及び第二重合板１３８を経て第二面１１０へ連続している。折曲部１３０が、架渡部材１３４以外の部分（第一重合板１３６及び第二重合板１３８）も含めて一体化された構造であるので、取り扱いが容易である。
【００３９】
しかも、折曲部１３０の一部が架渡部材１３４を形成している状態で、第一重合板１３６と第二重合板１３８とが重合する。すなわち、折曲部１３０の一部が架渡部材１３４を形成した状態で、架渡部材１３４以外の部分が締めるスペースを小さくできる。
【００４０】
第一重合板１３６及び第二重合板１３８には、磁石部材１４０が埋め込まれており、磁力によって、第一重合板１３６と第二重合板１３８とが引き付けられる。これにより、第一重合板１３６と第二重合板１３８とが重合した状態を安定的に維持できる。
【００４１】
また、折曲部１３０を、第三ヒンジ１３２Ａ、１３２Ｂ、１３２Ｃによって折り込んで架渡部材１３４を形成する途中で、第一重合板１３６及び第二重合板１３８とは、磁石部材１４０の磁力により接近される。したがって、折曲部１３０に架渡部材１３４を形成する作業が容易である。
【００４２】
磁石部材１４０は、第一重合板１３６及び第二重合板１３８に埋め込まれており、第一重合板１３６及び第二重合板１３８から出っ張らない。したがって、たとえば壁部材１１６が板状に折畳まれた状態で、第一重合板１３６及び第二重合板１３８において、磁石部材１４が設けられた部分が筐体１０４から出っ張らない構造を実現できる。
【００４３】
次に、第二実施形態について説明する。第二実施形態において、第一実施形態と同様の要素、部材等については同一符号を付して、詳細な説明を省略する。また、第二実施形態において、キーボード２０２の全体的構造は第一実施形態のキーボード１０２と同様の構造を採り得るので、図示を省略する。
【００４４】
図１０及び図１１に示すように、第二実施形態のキーボード２０２では、壁部材１１６において、幅方向の両側の位置に、切込部２２８が設けられている。具体的には、第一ヒンジ１２２Ａ、第二ヒンジ１２４Ａ、第一ヒンジ１２２Ｂ、第二ヒンジ１２４Ｂの位置で、これらのヒンジ（壁部材１１６における稜線）に沿って、幅方向の両端から中央に向かって所定の長さで、切込部２２８が設けられている。
【００４５】
第一壁板１１８Ａ、１１８Ｂには、切込部２２８の端部の位置（幅方向の中央寄りの位置）に、第三ヒンジ２３２が設けられている。第一壁板１１８Ａにおいて、第三ヒンジ２３２よりも幅方向の両側に位置する部分は、折曲部２３０Ａである。同様に、第一壁板１１８Ｂにおいて、第三ヒンジ２３２よりも幅方向の両側に位置する部分は、折曲部２３０Ｂである。すなわち、第二実施形態では、第一壁板１１８Ａと第一壁板１１８Ｂの両方に、折曲部が設けられている。
【００４６】
第二実施形態では、重なり姿勢ＫＰにある第一壁板１１８Ａ、１１８Ｂを第一ヒンジ１２２Ａ、１２２Ｂを中心に矢印Ｒ１方向に回転させる途中の段階では、図１１に示すように、第三ヒンジ２３２の位置で第一壁板１１８Ａ、１１８Ｂが屈曲されない。すなわち、第一壁板１１８Ａ、１１８Ｂは平らな状態を維持する。
【００４７】
第二実施形態では、図１２に示すように、壁部材１１６が、断面形状が正方形状の筒体１２６を形成している状態で、第一壁板１１８Ａの幅方向の端部を第三ヒンジ２３２によって筒体１２６の内側へ屈曲させることで、架渡部材２３４Ａを形成できる。同様に、第一壁板１１８Ｂを第三ヒンジ２３２によって筒体１２６の内側へ屈曲させることで、架渡部材２３４Ｂを形成できる。筒体１２６が押し潰されそうになると、架渡部材２３４Ａ、２３４Ｂが筐体１０４のベース板１４８と第二壁板１２０の間で突っ張りとして作用し、筒体１２６が押し潰されることを抑制できる。
【００４８】
第二実施形態では、折曲部２３０Ａに対応する切込部２２８が第一ヒンジ１２２Ａ及び第二ヒンジ１２４Ａの位置にあり、折曲部２３０Ｂに対応する切込部２２８が第一ヒンジ１２２Ｂ及び第二ヒンジ１２４Ｂの位置にある。したがって、筒体１２６の断面形状が正方形状である状態で、架渡部材２３４Ａ、２３４Ｂの高さＨ１は、ベース板１４８から第二壁板１２０までの間隔Ｄ４と一致する。このため、第一壁板１１８Ａ、１１８Ｂを、第二面１１０に対し９０度に起立した状態に維持できる。
【００４９】
なお、図１２に示す例では、架渡部材２３４Ａの幅ＷＡと、架渡部材２３４Ｂの幅ＷＢの和が、第二壁板１２０の奥行Ｄ２よりも長くなるように、架渡部材２３４Ａ、２３４Ｂのそれぞれの幅ＷＡ、ＷＢが設定されている。したがって、架渡部材２３４Ａ、２３４Ｂの先端部分どうしを突き合わせることができる。特に、架渡部材２３４Ａ、２３４Ｂの先端部分どうしを突き合わせた状態で、架渡部材２３４Ａのさらに先端側に、突合せ部分から突出する突出部２３４Ｄが形成されている。突出部２３４Ｄを把持して、架渡部材２３４Ａを第三ヒンジ２３２まわりに回転させることができる。なお、架渡部材２３４Ａではなく、架渡部材２３４Ｂの先端側に突出部２３４Ｄが形成される構造でもよい。
【００５０】
次に、第三実施形態について説明する。第三実施形態において、第一実施形態又は第二実施形態と同様の要素、部材等については同一符号を付して、詳細な説明を省略する。また、第三実施形態において、キーボード３０２の全体的構造は第一実施形態のキーボード１０２と同様の構造を採り得るので、図示を省略する。
【００５１】
図１３に示すように、第三実施形態のキーボード３０２では、壁部材１１６において、幅方向の両側の位置に、切込部３２８が設けられている。具体的には、第一ヒンジ１２２Ａ及び第二ヒンジ１２４Ａの位置で、幅方向の両端から中央に向かって所定の長さで、切込部３２８が設けられている。
【００５２】
第一壁板１１８Ａには、切込部３２８の端部の位置（幅方向の中央寄りの位置）に、第三ヒンジ３３２が設けられている。第一壁板１１８Ａにおいて、第三ヒンジ３３２よりも幅方向の両側に位置する部分は、折曲部３３０である。図１５に示すように、第三ヒンジ３３２によって折曲部３３０を筒体１２６の内側へ屈曲させることで、架渡部材３３４を形成できる。
【００５３】
図１３に示す例では、第一壁板１１８Ａの幅Ｗ１は、第二壁板１２０の幅Ｗ２よりも長くされている。折曲部３３０の幅方向の端部側には、第四ヒンジ３４８が設けられている。これにより、図１５に示すように、架渡部材３３４を形成した状態で、折曲部３３０を幅方向の外側に突出させて、突出部３５０を形成することができる。
【００５４】
第三実施形態では、図１５に示すように、第一壁板１１８Ａ、１１８Ｂが突出姿勢ＴＰにある状態では、第三ヒンジ３３２によって折曲部３３０を屈曲させ、架渡部材３３４を形成することができる。架渡部材３３４は、筐体１０４の第二面１１０と第二壁板１２０とに接触する。したがって、筒体１２６が押し潰されそうになると、この架渡部材３３４が筐体１０４の第二面１１０と第二壁板１２０とに接触するので、押し潰されることを抑制できる。
【００５５】
第三実施形態では、切込部３２８が第一ヒンジ１２２Ａ及び第二ヒンジ１２４Ａの位置にあるので、筒体１２６が正方形状にあるとき、架渡部材３３４の高さＨ１は、ベース板１４８から第二壁板１２０までの間隔Ｄ４と一致する。このため、第一壁板１１８Ａ、１１８Ｂを、第二面１１０に対し９０度に起立した状態に維持しやすい。
【００５６】
また、架渡部材３３４には突出部３５０が形成されているので、突出部３５０を把持して、架渡部材３３４を第三ヒンジ１３２Ｂまわりに回転させることができる
【００５７】
次に、第四実施形態について説明する。第四実施形態において、第一実施形態、第二実施形態又は第三実施形態と同様の要素、部材等については同一符号を付して、詳細な説明を省略する。また、第四実施形態において、キーボード４０２の全体的構造は第一実施形態のキーボード１０２と同様の構造を採り得るので、図示を省略する。
【００５８】
図１６に示すように、第四実施形態のキーボード４０２では、壁部材１１６において、幅方向の両側の位置に、切込部３２８が設けられている。具体的には、第二ヒンジ１２４Ａ、１２４Ｂの位置で、幅方向の両端から中央に向かって所定の長さで、切込部４２８が設けられている。
【００５９】
第二壁板１２０には、切込部４２８の端部の位置（幅方向の中央寄りの位置）に、第三ヒンジ４３２が設けられている。第二壁板１２０において、第三ヒンジ４３２よりも幅方向の両側に位置する部分は折曲部４３０である。図１８に示すように、第三ヒンジ４３２によって折曲部４３０を筒体１２６の内側へ屈曲させることで、架渡部材４３４を形成できる。
【００６０】
図１６に示す例では、折曲部４３０の幅方向の端部側に、第一ヒンジ１２２Ａ、１２２Ｂと交差（図１６では直交）する方向で第四ヒンジ４４８が設けられている。これにより、図１８に示すように、架渡部材４３４を形成した状態で、折曲部４３０の幅方向の端部側を幅方向の外側に突出させて、突出部４５０を形成することができる。
【００６１】
第四実施形態では、図１８に示すように、第一壁板１１８Ａ、１１８Ｂが突出姿勢ＴＰにある状態では、第三ヒンジ４３２によって折曲部３３０を屈曲させ、第一壁板１１８Ａ、１１８Ｂの両方に接触する架渡部材４３４を形成することができる。筒体１２６が押し潰されそうになると、この架渡部材４３４が第一壁板１１８Ａ、１１８Ｂの両方に接触することで、押し潰されることを抑制できる。
【００６２】
第四実施形態では、切込部４２８が第二ヒンジ１２４Ａ、１２４Ｂの位置にあるので、筒体１２６が長方形状にあるとき、架渡部材２３４Ａ、２３４Ｂの高さＨ１は、ベース板１４８から第二壁板１２０までの間隔Ｄ４と一致する。このため、第一壁板１１８Ａ、１１８Ｂを、第二面１１０に対し９０度に起立した状態に維持しやすい。
【００６３】
また、架渡部材４３４には突出部４５０が形成されているので、突出部４５０を把持して、架渡部材４３４を第三ヒンジ４３２まわりに回転させることができる。
【００６４】
次に、第五実施形態について説明する。第五実施形態において、第一実施形態と同様の要素、部材等については同一符号を付して、詳細な説明を省略する。また、第五実施形態において、キーボード５０２の全体的構造は第一実施形態のキーボード１０２と同様の構造を採り得るので、図示を省略する。
【００６５】
図１９に示すように、第五実施形態のキーボード５０２では、架渡部材５３４が壁部材１１６とは別体の構造である。架渡部材５３４は、たとえば、ベース板１４８から第二壁板１２０までの間隔Ｄ４と同じか、又はわずかに小さい直径Ｄ５を有する円柱部５３４Ａを有する。この円柱部５３４Ａを筒体１２６の内部に挿入した状態では、筒体１２６が押し潰されそうになると、円柱部５３４Ａが、筐体１０４のベース板１４８と第二壁板１２０とに接触することで、押し潰されることを抑制できる。
【００６６】
なお、第五実施形態の架渡部材５３４としては、たとえば、電子機器８２（図１及び図２参照）に対するタッチ操作に用いられるタッチペンの他に、筆記具としてのペン、鉛筆、定規等を用いることができる。図１９に示すように、クリップ部５３４Ｂを備えた架渡部材５３４であれば、クリップ部５３４Ｂを用いて第一壁板１１８Ａ（又は第一壁板１１８Ｂ）に架渡部材５３４を引っ掛けることで、筒体１２６から架渡部材５３４がずれたり外れたりすることを抑制できる。
【００６７】
第五実施形態において、架渡部材５３４の構造は、上記した構造に限定されない。たとえば、第一ヒンジ１２２Ｂと第二ヒンジ１２４Ａとの間で筋交いとなる棒状あるいは板状の部材を、壁部材１１６とは別体で備えるようにしてもよい。
【００６８】
次に、参考例について説明する。参考例において、第一実施形態と同様の要素、部材等については同一符号を付して、詳細な説明を省略する。また、参考例において、キーボード９０２の全体的構造は第一実施形態のキーボード１０２と同様の構造を採り得るので、図示を省略する。
【００６９】
図２０に示すように、参考例のキーボード９０２では、壁板９１８として、第一回転板９２０及び第二回転板９２２を有している。第一回転板９２０の一端９２２Ａ（奥側の端部）は、筐体１０４の第二面１１０に、第一連結部９２４によって回転可能に連結されている。そして、第一回転板９２０は、重なり姿勢ＫＰと突出姿勢ＴＰとを回転する。重なり姿勢ＫＰでは、第一回転板９２０は、第二面１１０と平行に収納凹部１４６に収納される。突出姿勢ＴＰでは、第一回転板９２０は、第二面１１０から突出する。
【００７０】
第一連結部９２４は、このように、第一回転板９２０を筐体１０４に対し回転可能に連結しており、その一例としてはヒンジを挙げることができる。
【００７１】
第二回転板９２２の奥行方向の一端９２２Ａは、第一回転板９２０の奥行方向の一端９２０Ｂに、第二連結部９２６によって回転可能に連結されている。そして、第二回転板９２２は、重なり姿勢ＫＰと突出姿勢ＴＰとの間を回転する。重なり姿勢ＫＰでは、第二回転板９２２は、重なり姿勢ＫＰにある第一回転板９２０と共に、第二面１１０と重なる。突出姿勢ＴＰでは、第二回転板９２２は、突出姿勢ＴＰにある第一回転板９２０の一端９２０Ｂから第二面１１０に向けて架け渡されることで、第二面１１０から突出する。第二連結部９２６は、このように、第二回転板９２２を第一回転板９２０に対し回転可能に連結しており、その一例としてはヒンジ部を挙げることができる。
【００７２】
そして、参考例では、複数枚の壁板９１８（第一回転板９２０及び第二回転板９２２）は、第二面１１０から突出した突出状態ＴＳと、筐体１０４に折畳まれた折畳状態ＰＳとを採る。
【００７３】
筐体１０４の第二面１１０には、突出姿勢ＴＰにある第二回転板９２２の他端９２２Ｂが嵌合する嵌合部９２８が設けられている。第二回転板９２２の他端９２２Ｂが嵌合部９２８に嵌合されると、第二回転板９２２が突出姿勢ＴＰで保持される。
【００７４】
参考例においても、図２２に示すように、壁板９１８を突出状態ＴＳとすることで、筐体１０４をチルト姿勢で支持できる。また、図２０に示すように、壁板９１８は、折畳状態ＰＳでは筐体１０４に折畳まれるので、筐体１０４の厚みを薄くすることが可能である。
【００７５】
上記では、第一壁板１１８Ａ、１１８Ｂや第二壁板１２０が、それぞれ１枚の板状である例を挙げているが、これらの部材は、複数の板材が連結されていたり、重ね合わせられていたりする構造でもよい。たとえば、第二壁板１２０の奥行方向の中間部分にあらたにヒンジを設け、第二壁板１２０を中間部分で屈曲できるようにすると、筒体１２６として断面が平行四辺形以外の形状にもでき、筒体１２６の形状の自由度が高い。ただし、この場合でも、筒体１２６として、断面形状が平行四辺形を成す構造としておけば、壁部材１１６を筐体１０４に対し折畳状態として、第二面１１０に折り重ねることができるので、筐体１０４の薄型化を図ることができる。
【００７６】
壁部材の構造は、上記の各実施形態の構造を組み合わせることも可能である。たとえば、第一実施形態の折曲部１３０を有する構造と、第二実施形態の折曲部２３０Ａ、２３０Ｂ又は第三実施形態の折曲部３３０を有する構造を組み合わせることができる。第一実施形態の折曲部１３０と、第二実施形態の折曲部２３０Ａ、２３０Ｂを組み合わせると、架渡部材１３４と、架渡部材２３４Ａ、２３４Ｂを有する構造が実現できる。
【００７７】
上記では、入力装置の例として、入力キー１１２及びタッチパッド１１４を備えた構造を挙げているが、入力装置への入力を受ける入力部は、これらに限定されない。たとえば、筐体１０４に回転可能に保持された回転体を回転させて入力する入力部や、特定のカードのカード情報を接触又は非接触で読み取る入力部であってもよい。これら入力部は、単体で筐体１０４に備えられていてもよいし、複数種の入力部が組み合わされて備えられていてもよい。
【００７８】
また、上記各実施形態の構造を、ノート型コンピュータ等の情報処理装置に適用することも可能である。すなわち、ノート型コンピュータでは、たとえば、筐体に、プロセッサ、記憶装置、入力端子、出力端子、通信部材（アンテナ）、キーボード１１２やタッチパッド１１４等（いずれも図１参照）が設けられる。そして、筐体に、ヒンジ等によってディスプレイが回転可能に取り付けられる。ディスプレイは筐体と電気的に接続されており、ディスプレイの表示画面に、所定の情報を画像として表示する。このような構造のノート型コンピュータにおいて、筐体、すなわち、キーボートを有する部材に、上記各実施形態の構造を適用することが可能である。
【００７９】
以上、本願の開示する技術の実施形態について説明したが、本願の開示する技術は、上記に限定されるものでなく、上記以外にも、その主旨を逸脱しない範囲内において種々変形して実施可能であることは勿論である。
【００８０】
本明細書は、以上の実施形態に関し、さらに以下の付記を開示する。
【００８１】
（付記１）
入力操作を受ける入力部を備える筐体と、
前記筐体における前記入力部の背面に設けられ一対の平行な第一ヒンジにより前記背面と重なる重なり姿勢と前記背面から突出する突出姿勢とを採る一対の第一壁板と、前記第一ヒンジと平行な一対の第二ヒンジにより前記第一壁板のそれぞれと連結され、前記第二ヒンジの間隔が前記第一ヒンジの間隔に等しい第二壁板と、を備える壁部材と、
を有し、
前記第一壁板の突出姿勢では、前記背面の一部と前記第二壁板とが対向し前記第一壁板どうしが対向することで、前記第一ヒンジと直交する断面が平行四辺形の筒体を成す
入力装置。
（付記２）
一対の前記第一壁板、前記第二壁板及び前記背面、のうちの２つ以上の部材に架け渡される架渡部材を有する付記１に記載の入力装置。
（付記３）
前記架渡部材が、一対の前記第一壁板へ前記背面に対し斜めに架け渡される付記２に記載の入力装置。
（付記４）
前記壁部材に設けられ前記壁部材の一部を前記筒体の内側へ折り込み可能な折曲部とする切込部と、
前記折曲部と前記壁部材において前記折曲部以外の部分の境界に設けられ前記折曲部を前記筒体の内側へ折り込んで前記架渡部材とする第三ヒンジと、
を有する付記２に記載の入力装置。
（付記５）
前記切込部が、前記第一ヒンジと交差する方向で前記第一壁板の一つから前記第二壁板に連続して一対設けられ、
前記折曲部が一対の前記切込部の間に位置している付記４に記載の入力装置。
（付記６）
前記架渡部材が、前記第一ヒンジの延在方向に見て前記筒体の対角線に位置している付記４又は付記５に記載の入力装置。
（付記７）
前記折曲部が、
前記架渡部材となる部分から連続し、前記背面から離間する方向に位置する第一重合板と、
前記第一重合板の先端側で折り返されて前記第一重合板と重合し前記背面に連続する第二重合板と、
を有する付記５に記載の入力装置。
（付記８）
前記第一重合板と前記第二重合板とを磁力で吸着させる磁石部材を有する付記７に記載の入力装置。
（付記９）
前記磁石部材が前記第一重合板と前記第二重合板とに埋め込まれている付記８に記載の入力装置。
（付記１０）
前記第三ヒンジが、前記第一ヒンジと交差する方向で前記第一壁板に設けられ、
前記切込部が、前記第三ヒンジよりも前記筒体の長手方向の端部側で、前記第三ヒンジが設けられた前記第一壁板に設けられる付記４に記載の入力装置。
（付記１１）
前記切込部が、前記第三ヒンジが設けられた前記第一壁板における前記第一ヒンジ及び前記第二ヒンジの位置に設けられる付記１０に記載の入力装置。
（付記１２）
前記第三ヒンジが、前記第一ヒンジと交差する方向で前記第二壁板に設けられ、
前記切込部が、前記第三ヒンジよりも前記筒体の長手方向の端部側で、前記第二壁板に設けられる付記４に記載の入力装置
（付記１３）
入力操作を受ける入力部を備える筐体と、
前記筐体の前記入力部の背面に設けられる複数枚の壁板と、
前記壁板どうし、または前記壁板と前記筐体とを、複数枚の前記壁板が前記筐体から突出した突出状態と、複数枚の前記壁板が前記筐体に折畳まれた折畳状態と、をとるように回転可能に連結するヒンジ部と、
を有する入力装置。
（付記１４）
入力操作を受ける入力部を備える筐体と、
前記筐体における前記入力部の背面に第一連結部により回転可能に連結され、前記背面と重なる重なり姿勢と、前記背面から突出する突出姿勢とを回転する第一回転板と、
前記第一回転板の先端に第二連結部により回転可能に連結され、前記第一回転板と共に前記背面と重なる重なり姿勢と、前記突出姿勢にある前記第一回転板と前記背面との間に位置する突出姿勢と、を回転する第二回転板と、
前記筐体に設けられ前記突出姿勢にある前記第二回転板の先端が嵌合する嵌合部と、
を有する入力装置。
（付記１５）
入力操作を受ける入力部を備える筐体と、
前記筐体における前記入力部の背面に設けられ一対の平行な第一ヒンジにより前記背面と重なる重なり姿勢と前記背面から突出する突出姿勢とを採る一対の第一壁板と、前記第一ヒンジと平行な一対の第二ヒンジにより前記第一壁板のそれぞれと連結され、前記第二ヒンジの間隔が前記第一ヒンジの間隔に等しい第二壁板と、を備える壁部材と、
前記筐体に接続され、前記筐体から受けた情報を表示する表示部材と、
を有し、
前記第一壁板の突出姿勢では、前記背面の一部と前記第二壁板とが対向し前記第一壁板どうしが対向することで、前記第一ヒンジと直交する断面が平行四辺形の筒体を成す
情報処理装置。
【符号の説明】
【００８２】
１０２      キーボード（入力装置の一例）
１０４      筐体
１０８      第一面
１１０      第二面（背面）
１１２      入力キー（入力部の一例）
１１４      タッチパッド（入力部の一例）
１１６      壁部材
１１８Ａ、１１８Ｂ      第一壁板
１２０      第二壁板
１２２Ａ、１２２Ｂ      第一ヒンジ
１２４Ａ、１２４Ｂ      第二ヒンジ
１２６      筒体
１２８      切込部
１３０      折曲部
１３２Ａ、１３２Ｂ、１３２Ｃ  第三ヒンジ
１３４      架渡部材
１３６      第一重合板
１３８      第二重合板
１４０      磁石部材
１４６      収納凹部
２０２      キーボード（入力装置の一例）
２２８      切込部
２３０Ａ、２３０Ｂ      折曲部
２３２      第三ヒンジ
２３４Ａ、２３４Ｂ      架渡部材
２３４Ｄ    突出部
３０２      キーボード（入力装置の一例）
３２８      切込部
３３０      折曲部
３３２      第三ヒンジ
３３４      架渡部材
３５０      突出部
４０２      キーボード（入力装置の一例）
４２８      切込部
４３０      折曲部
４３２      第三ヒンジ
４３４      架渡部材
４５０      突出部
５０２      キーボード（入力装置の一例）
５３４      架渡部材
【図１】
2019045973.tif 000003
【図２】
2019045973.tif 000004
【図３】
2019045973.tif 000005
【図４】
2019045973.tif 000006
【図５】
2019045973.tif 000007
【図６】
2019045973.tif 000008
【図７】
2019045973.tif 000009
【図８】
2019045973.tif 000010
【図９】
2019045973.tif 000011
【図１０】
2019045973.tif 000012
【図１１】
2019045973.tif 000013
【図１２】
2019045973.tif 000014
【図１３】
2019045973.tif 000015
【図１４】
2019045973.tif 000016
【図１５】
2019045973.tif 000017
【図１６】
2019045973.tif 000018
【図１７】
2019045973.tif 000019
【図１８】
2019045973.tif 000020
【図１９】
2019045973.tif 000021
【図２０】
2019045973.tif 000022
【図２１】
2019045973.tif 000023
【図２２】
2019045973.tif 000024